(57)【要約】      （修正有）【課題】インナーキャップの上から着用するかつら本体を当該インナーキャップに安定して被せつつ、かつら本体の微調整を可能にして、装着者のフィット感を向上させる全頭用かつらを提供する。【解決手段】インナーキャップの上から着用する全頭用かつらにおいて、非伸縮性の第１メッシュ構造を有し、装着者の前頭部を覆う第１ベース部２１と、第１ベース部２１に接合され、前記第１メッシュ構造より細かい非伸縮性の第２メッシュ構造を有し、頭頂部４２近傍を通って前記装着者の一端の側頭部４３から他端の側頭部にかけて前記装着者の頭部上方を覆う第２ベース部２２と、第２ベース部２２に接合され、伸縮性の第３メッシュ構造を有し、前記装着者の頭頂部４２近傍から後頭部領域４５を覆う第３ベース部２３とを備え、前記第３ベース部２３に当該第３ベース２３の伸縮を調整する調整糸２８が織り込まれている。【選択図】図２
2015021205.tif 000002
【特許請求の範囲】
【請求項１】
インナーキャップの上から着用する全頭用かつらにおいて、
非伸縮性の第１メッシュ構造を有し、装着者の前頭部を覆う第１ベース部と、
前記第１ベース部に接合され、前記第１メッシュ構造より細かい非伸縮性の第２メッシュ構造を有し、頭頂部近傍を通って前記装着者の一端の側頭部から他端の側頭部にかけて前記装着者の頭部上方を覆う第２ベース部と、
前記第２ベース部に接合され、伸縮性の第３メッシュ構造を有し、前記装着者の頭頂部近傍から後頭部を覆う第３ベース部とを備え、
前記第３ベース部に当該第３ベースの伸縮を調整する調整体が織り込まれていることを特徴とする全頭用かつら。
【請求項２】
請求項２に記載の全頭用かつらにおいて、
前記調整体が複数本の糸で形成されており、当該糸が前記第３ベースにおける前記装着者の頭頂部近傍から放射状に広がって織り込まれ、
前記糸の頭頂部近傍側の一端部は前記第３ベース部に固定され、他端部は前記第３ベース部に固定されていないことを特徴とする全頭用かつら。
【請求項３】
請求項２に記載の全頭用かつらにおいて、
前記糸と前記第３ベース部を形成するメッシュの地糸との摩擦抵抗により前記糸を固定することを特徴とする全頭用かつら。
【請求項４】
請求項１ないし３のいずれかに記載の全頭用かつらにおいて、
前記第１ベース部の前端部に当該第１ベースのずれを防止するずれ防止部材を備えると共に、前記第３ベース部の後端部近傍に当該第３ベース部における周方向の伸縮を調整する調整手段を備え、
前記ずれ防止部材には植毛されないことを特徴とする全頭用かつら。
【発明の詳細な説明】
【技術分野】
【０００１】
本発明は、インナーキャップの上から着用する全頭用かつらに関する。
【背景技術】
【０００２】
脱毛が非常に広範囲に亘る人や病気の治療のために毛髪が残っていない人のために、頭全体に着用するための全頭用のかつらが知られている。例えば、特許文献１に示す技術は、頭部全体を覆うかつら本体の内面に、サイズ調整可能なインナーキャップを着脱可能に設け、このインナーキャップの内周面の数箇所に、シリコンゴムシートを取り付けた全かつらとしたものである。
【０００３】
また、特許文献２に示す技術は、かつらベースを、頭部前側用の非伸縮性ネットと、頭部後側用の伸縮性ネットとを接合して構成し、非伸縮性ネットと伸縮性ネットとの接合部を、左右の耳片の上部から頭頂部に至るイヤ・トゥ・イヤ線と、あご先から左右の耳片の上部を通ってゴールデンポイントに至る線とに挟まれた範囲に位置させ、伸縮性ネットを、左側頭部片，右側頭部片，後頭部片の３枚に分割し、これら片１５ａ〜１５ｃの接合部を、左右のみつえりを結ぶ線と直交する方向に設定するものである。
【先行技術文献】
【特許文献】
【０００４】
【特許文献１】特開２００４−３５３１２７号公報
【特許文献２】特開２００８−１６３４９７号公報
【発明の概要】
【発明が解決しようとする課題】
【０００５】
しかしながら、特許文献１に示す技術は、インナーキャップについてはサイズ調整を行うことができるものの、かつら本体はインナーキャップに装着するだけであり、必ずしも装着者の頭にフィットして安定な状態が維持されているとは限らない。また、装着者の頭部において、特に後頭部領域は各個人ごとに形状がバラバラである。すなわち、特許文献１に示す技術のように、ヘッドバンドの部分のみを周方向に調整するだけでは必ずしも十分な調整ができない。
【０００６】
また、特許文献２に示す技術は、伸縮性ネットを特定の位置に接合することでフィット感を向上させるものであるが、これだけでは、各個人ごとに形状がバラバラである後頭部領域にフィット感を出すのは難しくなってしまう。また、頭部後側用ネットの側端部分にアジャスタを配設することでかつらの大きさを調整できるようにしているが、これも装着者の頭の周方向の大きさを調整するだけであり、必ずしも十分な調整ができるものではない。
【０００７】
本発明は、インナーキャップの上から着用するかつら本体を当該インナーキャップに安定して被せつつ、かつら本体の微調整を可能にして、装着者のフィット感を向上させる全頭用かつらを提供する。
【課題を解決するための手段】
【０００８】
本発明に係る全頭用かつらは、インナーキャップの上から着用する全頭用かつらにおいて、非伸縮性の第１メッシュ構造を有し、装着者の前頭部を覆う第１ベース部と、前記第１ベース部に接合され、前記第１メッシュ構造より細かい非伸縮性の第２メッシュ構造を有し、頭頂部近傍を通って前記装着者の一端の側頭部から他端の側頭部にかけて前記装着者の頭部上方を覆う第２ベース部と、前記第２ベース部に接合され、伸縮性の第３メッシュ構造を有し、前記装着者の頭頂部近傍から後頭部を覆う第３ベース部とを備え、前記第３ベース部に当該第３ベースの伸縮を調整する調整体が織り込まれているものである。
【０００９】
このように、本発明に係る全頭用かつらにおいては、非伸縮性のメッシュ地と伸縮性のメッシュ地により、かつら本体をインナーキャップに固定して安定化させることができると共に、かつら本体の後頭部領域を伸縮性のメッシュ構造とし、当該メッシュ構造に伸縮を調整するための調整体が織り込まれることで、特に各個人ごとに形状がバラバラである後頭部領域の伸縮を微調整することが可能となり、かつら本体のフィット感を向上させることができるという効果を奏する。
【００１０】
本発明に係る全頭用かつらは、前記調整体が複数本の糸で形成されており、当該糸が前記第３ベースにおける前記装着者の頭頂部近傍から放射状に広がって織り込まれ、前記糸の頭頂部近傍側の一端部は前記第３ベース部に固定され、他端部は前記第３ベース部に固定されていないものである。
【００１１】
このように、本発明に係る全頭用かつらにおいては、調整体が複数本の糸で形成されており、当該糸が第３ベースにおける装着者の頭頂部近傍から放射状に広がって織り込まれ、前記糸の頭頂部近傍側の一端部は前記第３ベース部に固定され、他端部は前記第３ベース部に固定されていないため、装着者の径方向（頭頂部から襟足部の方向、頭頂部から耳上や耳裏あたりの側頭部の方向）の伸縮を調整することができ、後頭部の形状が歪な場合であっても、かつら本体のフィット感を確実に向上させることができるという効果を奏する。
【００１２】
本発明に係る全頭用かつらは、前記糸と前記第３ベース部を形成するメッシュの地糸との摩擦抵抗により前記糸を固定するものである。
【００１３】
このように、本発明に係る全頭用かつらにおいては、調整体としての糸において、当該糸と第３ベース部を形成するメッシュの地糸との摩擦抵抗により糸を固定するため、装着者が糸を引っ張るだけで伸縮状態を維持することができ、作業を容易にして適正な調整を行うことが可能になるという効果を奏する。
【００１４】
本発明に係る全頭用かつらは、前記第１ベース部の前端部に当該第１ベースのずれを防止するずれ防止部材を備えると共に、前記第３ベース部の後端部近傍に当該第３ベース部における周方向の伸縮を調整する調整手段を備え、前記ずれ防止部材には植毛されないものである。
【００１５】
このように、本発明に係る全頭用かつらにおいては、第１ベース部の前端部に当該第１ベースのずれを防止するずれ防止部材を備えると共に、第３ベース部の後端部近傍に当該第３ベース部における周方向の伸縮を調整する調整手段を備えることで、前頭部及び後頭部のそれぞれの側端部から装着者の周方向の伸縮（サイズ）を調整することができ、装着者に合ったサイズで装着感を向上させることができると共に、かつら本体を装着者の頭にしっかりと固定することができるという効果を奏する。
【００１６】
また、ずれ防止部材には植毛されないため、装着者の前頭部を非常に薄い布地で覆うことができ、頭部前方の生え際部分の厚みをなくして、自然な生え際を実現することが可能となる。
【図面の簡単な説明】
【００１７】
【図１】第１の実施形態にかかる全頭用かつらのインナーキャップの模式図である。
【図２】第１の実施形態に係る全頭用かつらのかつら本体の模式図である。
【図３】第１の実施形態に係る全頭用かつらのかつら本体を背後から見た場合の模式図である。
【発明を実施するための最良の形態】
【００１８】
以下、本発明の実施の形態を説明する。本発明は多くの異なる形態で実施可能である。また、本実施形態の全体を通して同じ要素には同じ符号を付けている。
【００１９】
（本発明の第１の実施形態）
本実施形態に係る全頭用かつらについて、図１ないし図３を用いて説明する。図１は、本実施形態にかかる全頭用かつらのインナーキャップの模式図、図２は、本実施形態に係る全頭用かつらのかつら本体の模式図、図３は、本実施形態に係る全頭用かつらのかつら本体を背後から見た場合の模式図である。
【００２０】
本実施形態に係る全頭用かつらは、脱毛が非常に広範囲に広がったり、病気の治療のために毛髪が残っていない装着者が着用するためのものであり、インナーキャップ１の上からかつら本体２を被るものである。図１において、インナーキャップ１は、装着者の頭部周方向に伸縮してずれを防止する口ゴム１１と、口ゴム１１に接合し、当該口ゴム１１と同様に装着者の頭部周方向に伸縮する第１プレーン編み部１２と、当該第１プレーン編み部１２に接合し、装着者の側頭部を覆う第１メッシュ部１３と、当該第１メッシュ部１３に接合し、前記第１プレーン編み部１２と平行に装着者の頭部周方向に伸縮する第２プレーン編み部１４と、当該第２プレーン編み部１４に接合し、装着者の側頭部から頭頂部までを覆う第２メッシュ部１５とを備える。
【００２１】
第１プレーン編み部１２及び第２プレーン編み部１４は、滑り止め用の糸でプレーン編みされており、装着者の頭部の周方向に適度に圧縮してずれを防止した安定した装着を実現する。また、第１メッシュ部１３及び第２メッシュ部１５は、装着者の頭部形状に合わせて様々な方向に伸縮することで、装着者の頭部にフィットすることができる。さらに、このようなメッシュ構造にすることで、地肌への通気を良くし、蒸れなどを防止することができる。すなわち、図１に示すように、第１プレーン編み部１２及び第２プレーン編み部１４、並びに、第１メッシュ部１３及び第２メッシュ部１５が交互に接合されてインナーキャップ１の大部分を構成することで、各装着者の頭部に合わせて適度に伸縮してフィット感を向上させることができると共に、通気を良くすることで抗菌、速乾等の機能を備え快適な装着を実現することができる。
【００２２】
図２のかつら本体２は、図１に示すインナーキャップ１の上から装着するものであり、表面側には植毛（図示しない）がされている。かつら本体２は、非伸縮性で大きめのメッシュ構造を有し、装着された場合に装着者の前頭部領域４１を覆う第１ベース部２１と、当該第１ベース部２１に接合され、非伸縮性で第１ベース部２１よりも細かいメッシュ構造を有し、装着された場合に、装着者の頭頂部４２近傍を通って一端の側頭部４３から他端の側頭部４４（図示しない）にかけて装着者の頭部上方を覆う第２ベース部２２と、当該第２ベース部２２に接合され、伸縮性のメッシュ構造を有し、装着された場合に、装着者の後頭部領域４５を覆う第３ベース部２３とを有する。
【００２３】
第１ベース部２１、第２ベース部２２及び第３ベース部２３は、それぞれメッシュ構造を有しているが、いずれも形状の変化に対して元の形状を再現する程度の硬度を有しており、第２ベース部２２が第１ベース部２１に比べてより硬いメッシュ構造となっている。そして、第３ベース部２３は最も柔らかいメッシュ構造となっている。すなわち、頭部前方側は、形状の変化が小さく傾斜も緩やかであるため、ある程度の硬度を有するメッシュ構造で安定的に装着可能とし、形状の変化が大きく傾斜も急である頭部後方側は、柔らかくして頭部形状に合わせて調整し易いものとなる。
【００２４】
第１ベース部２１の前端部には、当該ベースのずれやめくれを防止するために、装着者頭部の周方向に伸縮性を有するずれ防止材２４を備え、第３ベース部２３の後端近傍にも同様に、装着者頭部の周方向に伸縮性を有する調整手段２５を備えており、ずれ防止材２４と調整手段２５とにより、かつら本体２を装着者の頭部に安定して固着させる。また、ずれ防止材２４の領域には植毛がなされておらず、非常に薄く柔らかいメッシュ地で形成され、色は肌色となっている。また、地糸の表面は摩擦抵抗が大きくなっており、肌と未着してずれを防止する。つまり、かつら本体２のずれやめくれを確実に防止しつつ、頭部前方の生え際部分の厚みをなくして、自然な生え際を実現することが可能となるようにずれ防止材２４が形成されている。
【００２５】
第２ベース部２２の側頭部４３，４４には、装着者のこめかみからもみ上げ部分のめくれを防止するための保持材２６，２７（保持材２７は図示しない側頭部４４に備えられたものとする）を備えている。
【００２６】
第３ベース部２３には、当該第３ベース部２３の伸縮を調整するための調整糸２８（複数本有する場合は、調整糸２８ａ，２８ｂ，２８ｃ，・・・）が織り込まれており、この調整糸２８の長さを調整することで、かつら本体２を装着者の後頭部領域４５の形状に正確に合わせることができる。
【００２７】
特に、この調整糸２８は、図２及び図３に示すように、複数本の糸で形成され、当該糸が第３ベース部２３における装着者の頭頂部４２近傍から放射状に広がって織り込まれている。すなわち、このように放射状に広がることで、装着者の頭部径方向（頭頂部４２近傍から襟足部の方向、頭頂部４２近傍から耳上や耳裏あたりの側頭部４３，４４の方向）の伸縮を調整することが可能となる。
【００２８】
調整糸２８の頭頂部４２側の一端部２９（２９ａ，２９ｂ，２９ｃ，・・・）は、第３ベース部２３に固定され、他端部３０（３０ａ，３０ｂ，３０ｃ，・・・）は、第３ベース部２３に固定されずフリー状態になっている。すなわち、装着者は、調整糸２８のフリー状態になっている部分を引っ張って第３ベース部２３の縦方向の伸縮を調整することで、特に装着者個人によって多種多様な形状である後頭部領域４５の形状に合わせることが可能となる。つまり、装着者頭部の周方向の調整は、ずれ防止材２４及び調整手段２５により行い、装着者頭部の径方向の調整は、調整糸２８で行うことができるため、かつら本体２を装着者の頭部形状に合わせて異なる方向から微細に調整することが可能となり、かつらの安定感及びフィット感を向上させることができる。
【００２９】
また、この調整糸２８は、第３ベース部２３を形成するメッシュの地糸よりも摩擦抵抗が大きいものが用いられる。つまり、装着者がフリー状態の他端部３０を引っ張った場合のメッシュ部分の状態と調整糸２８の状態とを摩擦抵抗により固定することができるため、調整糸を引っ張るだけで調整状態を維持することができる。そうすることで、装着者後方における装着者自身による調整が難しい箇所であっても、調整の操作性を格段に向上させることが可能となる。
【符号の説明】
【００３０】
１  インナーキャップ
２  かつら本体
１１  口ゴム
１２  第１プレーン編み部
１３  第１メッシュ部
１４  第２プレーン編み部
１５  第２メッシュ部
２１  第１ベース部
２２  第２ベース部
２３  第３ベース部
２４  ずれ防止材
２５  調整手段
２６，２７  保持材
２８  調整糸
２９  一端部
３０  他端部
４１  前頭部領域
４２  頭頂部
４３，４４  側頭部
４５  後頭部領域
【図１】
2015021205.tif 000003
【図２】
2015021205.tif 000004
【図３】
2015021205.tif 000005